(57)【要約】【課題】温度変動に対して非線形に容量値が変動する容量性負荷について、環境温度の状態に合わせて最適な状態で駆動することが可能な容量性負荷の駆動回路、容量性負荷の駆動方法、及び、当該容量性負荷の駆動回路を有するカメラモジュールを提供する。【解決手段】本開示の容量性負荷の駆動回路は、温度に対して非線形に容量値が変化する容量性負荷を駆動対象とし、容量性負荷を駆動する駆動力のキャリブレーションが可能であり、容量性負荷の使用環境の温度領域を検出する温度領域検出部と、温度領域検出部が検出した温度領域に応じて、容量性負荷の駆動力をキャリブレーションする頻度を制御する制御部とを備える。【選択図】  図１
2014017575.tif 000002
【特許請求の範囲】
【請求項１】
温度に対して非線形に容量値が変化する容量性負荷を駆動対象とし、容量性負荷を駆動する駆動力のキャリブレーションが可能であり、
容量性負荷の使用環境の温度領域を検出する温度領域検出部と、
温度領域検出部が検出した温度領域に応じて、容量性負荷の駆動力をキャリブレーションする頻度を制御する制御部とを備える容量性負荷の駆動回路。
【請求項２】
容量性負荷は、高分子化合物である請求項１に記載の容量性負荷の駆動回路。
【請求項３】
高分子化合物は、水の凝固点付近で等価インピーダンスが急激に変動する請求項２に記載の容量性負荷の駆動回路。
【請求項４】
温度領域検出部は、
容量性負荷の使用環境の温度を測定する温度測定部と、
温度測定部の出力電圧を、容量性負荷の使用環境の温度領域を規定する複数の規定温度に対応する複数の規定電圧と比較する複数の比較器と、
複数の比較器の比較結果を基に容量性負荷の使用環境の温度領域を判定する判定部とを有する請求項１に記載の容量性負荷の駆動回路。
【請求項５】
温度測定部は、バンドギャップリファレンス回路によって構成されており、使用環境の範囲において、リファレンス電圧が温度に対して線形性を保つ請求項４に記載の容量性負荷の駆動回路。
【請求項６】
制御部は、キャリブレーションの頻度を複数の規定温度に対応して制御する請求項４に記載の容量性負荷の駆動回路。
【請求項７】
温度領域検出部は、
所定の周波数のクロック信号を、異なる分周比で分周する分周回路を有し、
分周回路で分周された異なる周波数のクロック信号のいずれかを、温度領域検出部が検出した温度領域に応じて選択し、この選択したクロック信号をキャリブレーションの頻度を決める信号とする請求項１に記載の容量性負荷の駆動回路。
【請求項８】
制御部は、
駆動回路の出力電圧を第１基準電圧及び第２基準電圧とそれぞれ比較する２つの比較器と、
２つの比較器の出力の遷移タイミング間の時間差を検出する時間差検出部と、
時間差検出部が検出した時間差と、あらかじめ設定した時間差との差分を検出する差分検出部とを有する請求項１に記載の容量性負荷の駆動回路。
【請求項９】
第１基準電圧及び第２基準電圧は、複数の出力段回路の出力電圧の最大振幅を基準に設定される請求項８に記載の容量性負荷の駆動回路。
【請求項１０】
時間差検出部は、２つの比較器の出力の遷移タイミング間の期間において、所定の周波数のクロック信号をカウントするカウンタ回路を有し、そのカウント値を２つの比較器の出力の遷移タイミング間の時間差とする請求項８に記載の容量性負荷の駆動回路。
【請求項１１】
時間差検出部は、
２つの比較器の出力の排他的論理和をとる第１の論理回路と、
第１の論理回路の出力信号とキャリブレーションの頻度を決める信号との論理積をとり、その論理積出力をカウンタ回路のイネーブル入力とする第２の論理回路と、
所定の周波数のクロック信号とキャリブレーションの頻度を決める信号との論理積をとり、その論理積出力をカウンタ回路のカウント入力とする第３の論理回路とを有する請求項１０に記載の容量性負荷の駆動回路。
【請求項１２】
駆動力が異なる複数の出力段回路を有し、
制御部は、複数の出力段回路を切り替えることによって容量性負荷を駆動する駆動力を制御する請求項１に記載の容量性負荷の駆動回路。
【請求項１３】
単一の出力段回路と、
単一の出力段回路を模したレプリカ回路、レプリカ回路を出力段側とするカレントミラー回路、及び、カレントミラー回路の入力側に挿入された可変電流源を含み、単一の出力段回路を駆動する入力段回路とを有し、
可変電流源の電流量によって容量性負荷を駆動する駆動力を制御する請求項１に記載の容量性負荷の駆動回路。
【請求項１４】
単一の出力段回路と、
差動回路及びテール電流源を含み、単一の出力段回路を駆動する入力段回路と、
テール電流源に流れる電流を差動回路との間で分流する分流経路と、
テール電流源を出力段側とし、入力段側に直列に挿入された定電流源を含むカレントミラー回路とを有し、
分流経路に流れる電流量によって容量性負荷を駆動する駆動力を制御する請求項１に記載の容量性負荷の駆動回路。
【請求項１５】
定電流源の電流量をＩ1、分流経路に流れる電流量をＩ2とするとき、差動回路の出力段側に流れる電流量Ｉ3は、
Ｉ3＝Ｉ1−Ｉ2
で与えられる請求項１４に記載の容量性負荷の駆動回路。
【請求項１６】
単一の出力段回路は、この出力段回路の入力端と出力端との間に接続された容量素子を有し、容量素子の充放電の程度によって駆動力が変わる請求項１４に記載の容量性負荷の駆動回路。
【請求項１７】
制御部は、容量性負荷の容量値が温度に対して線形に変化する温度領域では、容量性負荷の駆動回路を用いるシステムの起動時に１回でキャリブレーションを完了する請求項１に記載の容量性負荷の駆動回路。
【請求項１８】
温度に対して非線形に容量値が変化する容量性負荷を駆動対象とし、容量性負荷を駆動する駆動力のキャリブレーションが可能であり、
容量性負荷の使用環境の温度領域に応じて、容量性負荷の駆動力をキャリブレーションする頻度を制御し、
このキャリブレーションした駆動力にて容量性負荷を駆動する容量性負荷の駆動方法。
【請求項１９】
温度に対して非線形に容量値が変化する容量性負荷となる部材により、レンズをその光軸方向において変位させるアクチュエータと、
容量性負荷を駆動する駆動回路とを備え、
駆動回路は、
容量性負荷を駆動する駆動力のキャリブレーションが可能であり、
容量性負荷の使用環境の温度領域に応じて、容量性負荷の駆動力をキャリブレーションする頻度を制御し、このキャリブレーションした駆動力にて容量性負荷を駆動するカメラモジュール。
【請求項２０】
容量性負荷の容量値が温度に対して線形に変化する温度領域では、シャッタを切ったときに１回でキャリブレーションを完了する請求項１９に記載のカメラモジュール。
【発明の詳細な説明】
【技術分野】
【０００１】
本開示は、容量性負荷（容量性リアクタンスを有する負荷）の駆動回路、容量性負荷の駆動方法、及び、カメラモジュールに関する。
【背景技術】
【０００２】
容量性負荷の駆動回路の駆動対象として、ＣＣＤイメージセンサに代表される電荷転送型固体撮像装置における垂直転送部や水平転送部の転送電極、あるいは、液晶パネル等のフラットパネル型表示装置における画素用信号線の配線などを挙げることができる。そして、駆動対象が例えば転送電極の場合には、転送電極と半導体基板との間に設けられるＳｉＯ2等の絶縁膜が容量性リアクタンスを有する負荷（容量性負荷）となる。
【０００３】
従来、容量性負荷を駆動する駆動回路の技術においては、駆動波形の品質の向上を意図して、アンダーシュートやオーバーシュートの低減、スルーレートの変動の調整機能、伝搬遅延の均一化などを図る技術が提案されてきた（例えば、特許文献１，２参照）。
【先行技術文献】
【特許文献】
【０００４】
【特許文献１】特開２００７−２２１３６８号公報
【特許文献２】特開２００９−３８５１７号公報
【発明の概要】
【発明が解決しようとする課題】
【０００５】
ところで、先に例示した容量性負荷にあっては、容量値の変動が主に製造ばらつきによるものであった。従って、上記の従来技術は、製造ばらつきによって容量値が変動する事象を、更には、環境変動については、温度変動に対して緩やかに（線形に）容量値が変動する事象を対象としていた。
【０００６】
本開示は、温度変動に対して非線形（急激）に容量値が変動する容量性負荷について、環境温度の状態に合わせて最適な状態で駆動することが可能な容量性負荷の駆動回路、容量性負荷の駆動方法、及び、当該容量性負荷の駆動回路を有するカメラモジュールを提供することを目的とする。
【課題を解決するための手段】
【０００７】
上記の目的を達成するための本開示の容量性負荷の駆動回路は、
温度に対して非線形に容量値が変化する容量性負荷を駆動対象とし、容量性負荷を駆動する駆動力のキャリブレーションが可能であり、
容量性負荷の使用環境の温度領域を検出する温度領域検出部と、
温度領域検出部が検出した温度領域に応じて、容量性負荷の駆動力をキャリブレーションする頻度を制御する制御部とを備える容量性負荷の駆動回路である。
【０００８】
また、上記の目的を達成するための本開示の容量性負荷の駆動方法は、
温度に対して非線形に容量値が変化する容量性負荷を駆動対象とし、容量性負荷を駆動する駆動力のキャリブレーションが可能であり、
容量性負荷の使用環境の温度領域に応じて、容量性負荷の駆動力をキャリブレーションする頻度を制御し、
このキャリブレーションした駆動力にて容量性負荷を駆動する容量性負荷の駆動方法である。
【０００９】
また、上記の目的を達成するための本開示のカメラモジュールは、
温度に対して非線形に容量値が変化する容量性負荷となる部材により、レンズをその光軸方向において変位させるアクチュエータと、
容量性負荷を駆動する駆動回路とを備え、
駆動回路は、
容量性負荷を駆動する駆動力のキャリブレーションが可能であり、
容量性負荷の使用環境の温度領域に応じて、容量性負荷の駆動力をキャリブレーションする頻度を制御し、このキャリブレーションした駆動力にて高分子化合物を駆動するカメラモジュールである。
【発明の効果】
【００１０】
本開示によれば、容量性負荷の使用環境の温度領域に応じて、容量性負荷の駆動力をキャリブレーションする頻度を制御することで、環境温度の状態に合わせて、駆動力のキャリブレーションを適応的に制御できるため、容量性負荷を最適な状態で駆動することができる。
【図面の簡単な説明】
【００１１】
【図１】図１は、実施例１に係る容量性負荷の駆動回路の回路構成を示すブロック図である。
【図２】図２は、駆動力のキャリブレーションの頻度を段階的に調整可能とする温度領域検出部の他の構成例を示すブロック図である。
【図３】図３は、実施例２に係る容量性負荷の駆動回路の回路構成を示す回路図である。
【図４】図４は、実施例３に係る容量性負荷の駆動回路の回路構成を示す回路図である。
【図５】図５は、実施例４に係る容量性負荷の駆動回路の回路構成を示すブロック図である。
【図６】図６は、本開示に係るカメラモジュールを横から見たときのアクチュエータ部の断面図である。
【図７】図７は、ポリマーの挙動について説明する図である。
【発明を実施するための形態】
【００１２】
以下、本開示の技術を実施するための形態（以下、「実施形態」と記述する）について図面を用いて詳細に説明する。本開示は実施形態に限定されるものではなく、実施形態における種々の数値や材料などは例示である。以下の説明において、同一要素又は同一機能を有する要素には同一符号を用いることとし、重複する説明は省略する。尚、説明は以下の順序で行う。
１．本開示の容量性負荷の駆動回路、容量性負荷の駆動方法、及び、カメラモジュール、全般に関する説明
２．実施形態に係る容量性負荷の駆動回路
２−１．実施例１
２−２．実施例２
２−３．実施例３
２−４．実施例４
３．カメラモジュール
４．本開示の構成
【００１３】
＜１．本開示の容量性負荷の駆動回路、容量性負荷の駆動方法、及び、カメラモジュール、全般に関する説明＞
本開示の容量性負荷の駆動回路、容量性負荷の駆動方法は、温度に対して非線形に容量値が変化（変動）する、換言すれば、温度に対して容量値が急激に変化する容量性負荷を駆動対象とする。また、本開示のカメラモジュールは、レンズをその光軸方向において変位（移動）させるアクチュエータにおいて、レンズを変位させる部材として、温度に対して非線形に容量値が変化する容量性負荷を用いる。
【００１４】
駆動対象となる容量性負荷として、ＣＣＤイメージセンサに代表される電荷転送型固体撮像装置における垂直転送部や水平転送部の転送電極、あるいは、液晶パネル等のフラットパネル型表示装置における画素用信号線の配線などを例示することができる。但し、これらの容量性負荷は、温度に対して容量値が急激に変動しない。換言すれば、温度に対して容量値が線形に変動する。
【００１５】
温度に対して容量値が急激に変動しない主たる理由は、これらの容量性負荷が固体の状態であり、使用環境において、状態が安定しているからである。例えば、電荷転送型固体撮像装置において、転送電極と半導体基板との間に設けられるＳｉＯ2などを容量性負荷としている場合、機器の使用環境である−５０℃〜１５０℃程度の範囲では、固体の状態であり、容量値が安定している。
【００１６】
一方、ポリマーのような高分子化合物においては、物体内部に水分を含有しており、機器の使用環境である−５０℃〜１５０℃程度の範囲では、固体、液体、気体の３つの様態をとる。特に、水の凝固点である０℃付近では、高分子化合物の等価インピーダンスは急激に変動する。例えば、耐熱高分子材料の低誘電率化に際して、水分などの極性物質を含むと、誘電特性の温度依存性や周波数依存性が悪化することが報告されている（例えば、特開２００６−１７６６４５号公報参照）。
【００１７】
本開示の容量性負荷の駆動回路、容量性負荷の駆動方法、及び、カメラモジュールにあっては、このような温度に対して容量値が急激に変化する容量性負荷を駆動対象とし、また、容量性負荷を駆動する駆動力のキャリブレーション（調整／較正）が可能である。そして、本開示の容量性負荷の駆動回路は、容量性負荷の使用環境の温度領域を検出する温度領域検出部と、温度領域検出部が検出した温度領域に応じて、容量性負荷の駆動力をキャリブレーションする頻度を制御する制御部とを備える。本開示の容量性負荷の駆動方法、及び、カメラモジュールにおける容量性負荷の駆動回路では、容量性負荷の使用環境の温度領域に応じて、容量性負荷の駆動力をキャリブレーションする頻度を制御し、このキャリブレーションした駆動力にて容量性負荷を駆動する。
【００１８】
このように、容量性負荷の使用環境の温度領域に応じて、容量性負荷の駆動力をキャリブレーションする頻度を制御することにより、環境温度の状態に合わせて、駆動力のキャリブレーションを適応的に制御できるため、容量性負荷を最適な状態で駆動することができる。
【００１９】
温度に対して非線形に容量値が変化する容量性負荷としては、レンズをその光軸方向において変位させるアクチュエータにおいて、レンズを変位させる部材の他にも、有機ＥＬ(electro luminescence)表示装置において、有機ＥＬ素子を駆動するための配線などを例示することができる。但し、容量性負荷としてはこれらに限られるものではない。
【００２０】
上述した好ましい構成を含む本開示の容量性負荷の駆動回路、容量性負荷の駆動方法、及び、カメラモジュールにあっては、高分子化合物を容量性負荷として用いることができる。高分子化合物は、水の凝固点（０℃）付近で等価インピーダンスが急激に変動する、即ち、温度に対して非線形に等価インピーダンスが変化する。
【００２１】
上述した好ましい構成を含む本開示の容量性負荷の駆動回路、容量性負荷の駆動方法、及び、カメラモジュールにあっては、温度領域検出部について、温度測定部、複数の比較器、及び、判定部を有する構成とすることができる。温度測定部は、容量性負荷の使用環境の温度を測定する。複数の比較器は、温度測定部の出力電圧を、容量性負荷の使用環境の温度領域を規定する複数の規定温度に対応する複数の規定電圧と比較する。判定部は、複数の比較器の比較結果を基に容量性負荷の使用環境の温度領域を判定する。
【００２２】
温度測定部については、使用環境の範囲において、リファレンス電圧が温度に対して線形性を保つバンドギャップリファレンス回路によって構成することができる。また、温度領域検出部が上記の構成を採る場合において、キャリブレーションの頻度を複数の規定温度に対応して制御する構成とすることができる。
【００２３】
また、温度領域検出部について、所定の周波数のクロック信号を、異なる分周比で分周する分周回路を有し、分周回路で分周された異なる周波数のクロック信号のいずれかを、温度領域検出部が検出した温度領域に応じて選択し、この選択したクロック信号をキャリブレーションの頻度を決める信号として用いる構成とすることができる。
【００２４】
制御部については、２つの比較器、時間差検出部、及び、差分検出部を有する構成とすることができる。２つの比較器は、駆動回路の出力電圧を第１基準電圧及び第２基準電圧とそれぞれ比較する。時間差検出部は、２つの比較器の出力の遷移タイミング間の時間差を検出する。差分検出部は、時間差検出部が検出した時間差と、あらかじめ設定した時間差との差分を検出する。このとき、第１基準電圧及び第２基準電圧について、複数の出力段回路の出力電圧の最大振幅を基準に設定するのが好ましい。
【００２５】
時間差検出部については、２つの比較器の出力の遷移タイミング間の期間において、所定の周波数のクロック信号をカウントするカウンタ回路を有し、そのカウント値を時間差とする構成とすることができる。具体的には、時間差検出部について、第１の論理回路、第２の論理回路、及び、第３の論理回路の３つの論理回路を有する構成とすることができる。第１の論理回路は、２つの比較器の出力の排他的論理和をとる。第２の論理回路は、第１の論理回路の出力と制御部の頻度情報との論理積をとり、その論理積結果をカウンタ回路のイネーブル入力とする。第３の論理回路は、所定の周波数のクロック信号と制御部の頻度情報との論理積をとり、その論理積結果をカウンタ回路のカウント入力とする。
【００２６】
また、上述した好ましい構成を含む本開示の容量性負荷の駆動回路、容量性負荷の駆動方法、及び、カメラモジュールにあっては、駆動力が異なる複数の出力段回路を有し、制御部は、複数の出力段回路を切り替えることによって容量性負荷を駆動する駆動力を制御する構成とすることができる。
【００２７】
あるいは又、上述した好ましい構成を含む本開示の容量性負荷の駆動回路、容量性負荷の駆動方法、及び、カメラモジュールにあっては、出力段回路が単一（１つ）の構成とすることもできる。このとき、入力段回路については、単一の出力段回路を模したレプリカ回路、レプリカ回路を出力段側とするカレントミラー回路、及び、カレントミラー回路の入力側に挿入された可変電流源を含み、可変電流源の電流量によって容量性負荷を駆動する駆動力を制御する構成とすることができる。
【００２８】
あるいは又、上述した好ましい構成を含む本開示の容量性負荷の駆動回路、容量性負荷の駆動方法、及び、カメラモジュールにあっては、単一の出力段回路を用いる場合において、入力段回路、分流経路、及び、カレントミラー回路を有し、分流経路に流れる分流量によって容量性負荷を駆動する駆動力を制御する構成とすることができる。入力段回路は、差動回路及びテール電流源を含み、単一の出力段回路を駆動する。分流経路は、テール電流源に流れる電流を差動回路の入力段との間で分流する。カレントミラー回路は、テール電流源を出力段側とし、入力段側に直列に挿入された定電流源を含む。
【００２９】
ここで、定電流源の電流をＩ1、分流経路に流れる電流をＩ2とするとき、差動回路の出力段側に流れる電流Ｉ3を、
Ｉ3＝Ｉ1−Ｉ2
で与えることができる。一方、単一の出力段回路について、出力段回路の入力端と出力端との間に接続された容量素子を有する構成とすることができる。このとき、容量性負荷を駆動する駆動力は、容量素子の充放電の程度によって変わることとなる。
【００３０】
また、上述した好ましい構成を含む本開示の容量性負荷の駆動回路、及び、容量性負荷の駆動方法にあっては、容量性負荷の容量値が温度に対して線形に変化する温度領域では、本駆動回路を用いるシステムの起動時に１回でキャリブレーションを完了する構成とすることができる。また、上述した好ましい構成を含む本開示のカメラモジュールにあっては、容量性負荷の容量値が温度に対して線形に変化する温度領域では、シャッタを切ったときに１回でキャリブレーションを完了する構成とすることができる。
【００３１】
＜２．実施形態に係る容量性負荷の駆動回路＞
本開示の実施形態に係る容量性負荷の駆動回路（以下、単に「駆動回路」と記述する場合もある）は、水の凝固点付近で等価インピーダンスが急激に変化する高分子化合物のような、温度に対して非線形に容量値が変化する容量性負荷を駆動対象とする。そして、本実施形態に係る駆動回路は、容量性負荷を駆動する駆動力のキャリブレーション（調整／較正）が可能であり、容量性負荷の使用環境の温度領域に応じて、容量性負荷の駆動力をキャリブレーションする頻度（キャリブレーションの頻度）を制御することを特徴としている。
【００３２】
具体的には、本実施形態に係る駆動回路は、容量性負荷の使用環境の温度領域を検出する温度領域検出部と、温度領域検出部が検出した温度領域に応じて、容量性負荷の駆動力をキャリブレーションする頻度を制御する制御部とを備え、キャリブレーションした駆動力にて容量性負荷を駆動する。キャリブレーションの頻度については、高分子化合物の等価インピーダンスの変動が大きい水の凝固点（０℃）付近の温度領域では相対的に高い頻度のキャリブレーションを行い、水の凝固点付近以外の温度領域では相対的に低い頻度のキャリブレーションにとどめるような制御を行う。
【００３３】
この容量性負荷の使用環境の温度領域に応じてキャリブレーションの頻度を制御する、容量性負荷の駆動回路の具体的な実施例について以下に説明する。
【００３４】
［２−１．実施例１］
図１は、実施例１に係る容量性負荷の駆動回路の回路構成を示すブロック図である。図１に示すように、実施例１に係る駆動回路１０Aは、駆動力が異なる複数の出力段回路、本例では、２つの出力段回路２０1，２０2を有するアンプ形式の駆動回路である。出力段回路２０1は、一例として、第１電源と第２電源との間にＰｃｈトランジスタＱ11及びＮｃｈトランジスタＱ12が直列に接続された構成となっている。出力段回路２０2も同様に、第１電源と第２電源との間にＰｃｈトランジスタＱ21及びＮｃｈトランジスタＱ22が直列に接続された構成となっている。
【００３５】
本駆動回路１０Aは、２つの出力段回路２０1，２０2の出力端の共通接続ノード、即ち、当該駆動回路１０Aの出力ノード（出力端）Ｎoutに接続された容量性負荷Ｃを、出力段回路２０1の駆動力、あるいは、出力段回路２０2の駆動力によって駆動する。出力段回路２０1，２０2の駆動力は、トランジスタＱ11，Ｑ12やトランジスタＱ21，Ｑ22のサイズなどによって決まる。出力段回路２０1，２０2の回路形式は、特に限定されるものではなく、ソースフォロア形式であってもよいし、ソース接地形式であってもよい。
【００３６】
実施例１に係る駆動回路１０Aは、駆動力を切り替える際に、２つの出力段回路２０1，２０2を切り替えるためのスイッチＳＷ11，ＳＷ12，ＳＷ21，ＳＷ22を、出力段回路２０1，２０2の入力段に有している。駆動回路１０Aは更に、容量性負荷Ｃの使用環境の温度領域を検出する温度領域検出部３０と、温度領域検出部３０が検出した温度領域に応じて、容量性負荷の駆動力をキャリブレーションする頻度を制御する制御部４０とを備えている。制御部４０は、キャリブレーションの頻度を制御する機能に加えて、２つの出力段回路２０1，２０2を切り替える機能を持つ。
【００３７】
（温度領域検出部）
温度領域検出部３０は、温度測定部としての温度計回路３１、複数（本例では、２つ）の比較器３２1，３２2、及び、判定部としてのＥＸＯＲ（排他的論理和）回路３３を有する構成となっている。温度計回路３１は、容量性負荷の使用環境の温度を測定する。温度計回路３１については、一例として、バンドギャップリファレンス回路で実現できる。
【００３８】
温度計回路３１の別の例として、抵抗素子の温度依存性に着目し、定電流回路からの定電流を利用して、抵抗素子の端部に発生する電圧を利用する構成のものや、ダイオードの負性抵抗特性を利用する構成ものなどを例示することができる。温度計回路３１の出力電圧は、リファレンス電圧Ｖrefとして２つの比較器３２1，３２2に与えられる。
【００３９】
従来のバンドギャップリファレンス回路は、常温（２５℃付近）にリファレンス電圧Ｖrefの温度勾配がなくなるように設計される。これに対して、温度計回路３１においては、低温から高温に至るまで、即ち、使用環境の範囲において、リファレンス電圧Ｖrefが概ね単調に増加（もしくは、減少）するようにし、可能な限り温度に対して線形性が保てるようにする。これにより、リファレンス電圧Ｖrefと温度を一対一に関連付けることができる。
【００４０】
２つの比較器３２1，３２2は、温度計回路３１の出力電圧であるリファレンス電圧Ｖrefを正相（＋）入力とし、複数（本例では、２つ）の規定温度Ｖ1，Ｖ2を逆相（−）入力とする。２つの規定温度Ｖ1，Ｖ2は、容量性負荷Ｃの使用環境の温度領域を規定する電圧であり、一例として、規定温度Ｖ1が−５℃に対応するように、規定温度Ｖ2が＋５℃に対応するように設定される。
【００４１】
ＥＸＯＲ回路３３は、２つの比較器３２1，３２2の各出力を２入力とし、両入力の極性が不一致のとき、即ち、−５℃〜＋５℃の温度領域で正論理、それ以外の温度領域については負論理を出力する。すなわち、ＥＸＯＲ回路３３は、２つの比較器３２1，３２2の比較結果を基に容量性負荷Ｃの使用環境の温度領域を判定する。
【００４２】
温度領域検出部３０は、温度計回路３１、２つの比較器３２1，３２2、及び、ＥＸＯＲ回路３３の他に、発振（ＯＳＣ）回路３４、分周回路３５、及び、マルチプレクサ回路３６を有する。発振回路３４は、所定の周波数のクロック信号を出力する。分周回路３５は、所定の周波数のクロック信号を、互いに離れた（異なる）分周比、例えば、１／２の分周比と１／１６３８４の分周比で分周する。これにより、分周回路３５からは分周比の離れた２つのクロック信号、即ち、１／２分周された高速のクロック信号と、１／１６３８４分周された低速のクロック信号とが出力される。この分周比の離れた２つのクロック信号は、マルチプレクサ回路３６の２入力となる。
【００４３】
マルチプレクサ回路３６は、ＥＸＯＲ回路３３の出力の論理に応じて、２つのクロック信号の一方を選択する。具体的には、マルチプレクサ回路３６は、ＥＸＯＲ回路３３の出力が正論理のときは低速のクロック信号を選択し、負論理のときは高速のクロック信号を選択する。マルチプレクサ回路３６で選択された低速／高速のクロック信号は、キャリブレーションの頻度を決める信号として制御部４０に供給される。
【００４４】
（制御部）
制御部４０は、２つの比較器４１1，４１2、時間差検出部４２、及び、差分検出部４３を有し、温度領域検出部３０が検出した温度領域に応じて、容量性負荷Ｃの駆動力をキャリブレーションする頻度を制御する。
【００４５】
この制御部４０において、２つの比較器４１1，４１2は、２つの出力段回路２０1，２０2の出力電圧を正相（＋）入力とし、第１基準電圧である高電位側基準電圧ＶHと第２基準電圧である低電位側基準電圧ＶLとを逆相（−）入力としている。比較器４１1は、出力段回路２０1，２０2の出力電圧が高電位側基準電圧ＶH以上になると、出力が低レベルから高レベルに遷移する。比較器４１2は、出力段回路２０1，２０2の出力電圧が低電位側基準電圧ＶL以上になると、出力が低レベルから高レベルに遷移する。
【００４６】
ここで、高電位側基準電圧ＶHと低電位側基準電圧ＶLとを、本駆動回路１０Aの出力波形のスルーレートをとらえられるように、出力段回路２０1，２０2の出力電圧の最大振幅を基準に設定することとする。一例として、高電位側基準電圧ＶHと低電位側基準電圧ＶLとを、最大振幅の８０％、２０％に相当するレベル（電圧値）に設定するようにする。
【００４７】
時間差検出部４２は、ＥＸＯＲ回路４２１、ＡＮＤ回路４２２、発振（ＯＳＣ）回路４２３、ＡＮＤ回路４２４、及び、カウンタ回路４２５を有し、２つの比較器４１1，４１2の出力の遷移タイミング間の時間差を検出する構成となっている。
【００４８】
時間差検出部４２において、ＥＸＯＲ回路４２１は、２つの比較器４１1，４１2の出力の排他的論理和をとる第１の論理回路である。ＡＮＤ回路４２２は、ＥＸＯＲ回路４２１の出力信号と、温度領域検出部３０から与えられるキャリブレーションの頻度を決める信号との論理積をとり、その論理積出力をカウンタ回路４２５のイネーブル入力とする第２の論理回路である。
【００４９】
発振回路４２３は、所定の周波数のクロック信号を出力する。ＡＮＤ回路４２４は、発振回路４２３から与えられるクロック信号と、温度領域検出部３０から与えられるキャリブレーションの頻度を決める信号との論理積をとり、その論理積出力をカウンタ回路４２５のカウント入力とする第３の論理回路である。
【００５０】
このように、環境温度の温度領域に応じて、駆動力のキャリブレーションの頻度を変える意味合いから、制御部４０では、ＥＸＯＲ回路４２１の出力信号及び発振回路４２３から与えられるクロック信号のそれぞれに対して、キャリブレーションの頻度を決める信号との論理処理が行われる。
【００５１】
カウンタ回路４２５は、ＡＮＤ回路４２２の論理積出力がイネーブル入力として与えられるとき、ＡＮＤ回路４２４から与えられるクロック信号をカウントする。すなわち、カウンタ回路４２５は、２つの比較器４１1，４１2の出力の遷移タイミング間の期間において、発振回路４２３からＡＮＤ回路４２４を通して与えられる所定の周波数のクロック信号をカウントする。そして、カウンタ回路４２５のカウント値は、２つの比較器４１1，４１2の出力の遷移タイミング間の時間差を表わす情報となる。
【００５２】
差分検出部４３は、ロジック回路４３１及び時間差データ格納部４３２から成り、時間差検出部４２が検出した時間差と、あらかじめ設定した時間差との差分を検出する。この差分検出部４３において、ロジック回路４３１は、時間差検出部４２が検出した時間差と、時間差データ格納部４３２に格納されている、あらかじめ決められた理想の時間差データとを比較し、その差分を検出する。そして、ロジック回路４３１は、検出した差分に応じて、出力段回路２０1，２０2内のスイッチＳＷ11，ＳＷ12，ＳＷ21，ＳＷ22を切り替えることにより、本駆動回路１０Aの駆動力を調整する（切り替える）。
【００５３】
上述したシステム構成を採る実施例１に係る容量性負荷の駆動回路１０Aによれば、水分を含むポリマーのような急激に等価インピーダンスが変化する容量性負荷Ｃに対して、適宜、駆動回路１０Aの駆動力をキャリブレーションすることが可能になる。そして、容量性負荷Ｃの使用環境の温度領域に応じて駆動力のキャリブレーションの頻度を制御することで、環境温度の状態に合わせて、駆動回路１０Aの駆動力のキャリブレーションを適応的に制御することができる。
【００５４】
（温度領域検出部の他の構成例）
実施例１に係る容量性負荷の駆動回路１０Aでは、温度領域検出部３０について、２つの比較器３２1，３２2を用いて、例えば−５℃〜＋５℃の温度領域とそれ以外の温度領域とを検出する構成とし、駆動力のキャリブレーションの頻度を２段階で調整するようにしている。しかし、高分子化合物の材料によっては、段階的に等価容量値が変化するものも予想される。この場合、駆動力のキャリブレーションの頻度を３段階以上段階的に調整するようにすればよい。
【００５５】
図２は、駆動力のキャリブレーションの頻度を段階的に調整可能とする温度領域検出部の他の構成例を示すブロック図である。
【００５６】
図２に示すように、本構成例に係る温度領域検出部３０Aは、温度計回路３１の出力電圧であるリファレンス電圧Ｖrefを正相入力とする例えば３つの比較器３２1，３２2，３２3を有する。これら３つの比較器３２1，３２2，３２3のうち、比較器３２1は例えば−５℃に対応する規定温度Ｖ1を逆相入力とし、比較器３２2は例えば＋５℃に対応する規定温度Ｖ2を逆相入力とし、比較器３２3は例えば＋１５℃に対応する規定温度Ｖ3を逆相入力としている。
【００５７】
３つの比較器３２1，３２2，３２3の後段には、これら比較器３２1，３２2，３２3の比較結果を基に容量性負荷の使用環境の温度領域を判定する判定部としてロジック回路３７が設けられている。ロジック回路３７は、比較器３２1，３２2，３２3の比較結果を基に温度領域を多段階に判定できる構成のものであればよく、例えば、周知の論理ゲートを組み合わせることによって構成できる。
【００５８】
一方、発振回路３４から供給される所定の周波数のクロック信号を分周する分周回路３５は、ロジック回路３７の多段階の判定結果に対応して、例えば、１／２の分周比と１／１６３８４の分周比に加えて、１／２５６の分周比にて分周動作を行う。これにより、分周回路３５からは、１／２分周された高速のクロック信号と、１／２５６分周された中速のクロック信号と、１／１６３８４分周された低速のクロック信号とが出力される。
【００５９】
これら３つのクロック信号は、マルチプレクサ回路３６の３入力となる。マルチプレクサ回路３６には、３つのクロック信号以外に、基準電位、例えば接地電位が他の１入力として与えられる。マルチプレクサ回路３６は、容量性負荷の使用環境の温度領域についての判定結果、即ち、ロジック回路３７の出力に基づいて、高分子化合物の等価容量値の温度状態に合わせて、高速、中速、低速のクロック信号を切り替える。
【００６０】
本構成例に係る温度領域検出部３０Aによれば、高分子化合物の等価容量値の温度状態に合わせて、複数のバリエーションのキャリブレーションの頻度を選択できるようになるため、キャリブレーションの頻度についてよりきめ細やかな制御を行うことができる。
【００６１】
［２−２．実施例２］
図３は、実施例２に係る容量性負荷の駆動回路の回路構成を示す回路図である。図３に示すように、実施例２に係る駆動回路１０Bは、単一の出力段回路２０を有するアンプ形式の駆動回路である。出力段回路２０は、一例として、第１電源と第２電源との間にＮｃｈトランジスタＱ1及びＰｃｈトランジスタＱ2が直列に接続された構成となっている。
【００６２】
本駆動回路１０Bは、当該駆動回路１０Bの出力ノード（出力端）Ｎoutに接続された容量性負荷Ｃを、後述するようにして制御される出力段回路２０の駆動力によって駆動する。出力段回路２０の駆動力は、トランジスタＱ1，Ｑ2のサイズに加えて、これらトランジスタＱ1，Ｑ2に流れる電流値によって決まる。出力段回路２０の回路形式は、特に限定されるものではなく、ソースフォロア形式であってもよいし、ソース接地形式であってもよい。
【００６３】
実施例２に係る駆動回路１０Bは、単一の出力段回路２０に加えて、当該出力段回路２０を駆動する入力段回路５０を有する構成となっている。入力段回路５０は、出力段回路２０を模したレプリカ回路５１、当該レプリカ回路５１を出力段側とするカレントミラー回路５２，５３、及び、カレントミラー回路５２，５３の入力段側に挿入された可変電流源５４を有している。
【００６４】
レプリカ回路５１は、互いに直列に接続されたＮｃｈトランジスタＱ31及びＰｃｈトランジスタＱ32から成り、これらトランジスタＱ31，Ｑ32のソース共通接続ノードを本駆動回路１０Bの入力ノード（入力端）Ｎinとしている。トランジスタＱ31，Ｑ32は共に、ドレイン電極とゲート電極とが共通に接続されたダイオード接続となっている。入力ノードＮinには、バッファ回路５５を介して本駆動回路１０Bの駆動信号が供給される。
【００６５】
カレントミラー回路５２は、ドレイン電極とゲート電極とが共通に接続されたダイオード接続のＰｃｈトランジスタＱ33と、当該トランジスタＱ33とゲート電極が共通に接続されたＰｃｈトランジスタＱ34とから構成されている。ミラー先側（出力段側）のトランジスタＱ34は、レプリカ回路５１に対してトランジスタＱ31のドレイン側に直列に接続されている。
【００６６】
カレントミラー回路５３は、ドレイン電極とゲート電極とが共通に接続されたダイオード接続のＮｃｈトランジスタＱ35と、当該トランジスタＱ35とゲート電極が共通に接続されたＮｃｈトランジスタＱ36，Ｑ37とから構成されている。ミラー先側の一方のトランジスタＱ36は、カレントミラー回路５２のミラー元側（入力段側）のトランジスタＱ33に対して直列に接続されている。ミラー先側の他方のトランジスタＱ37は、レプリカ回路５１に対してトランジスタＱ32のドレイン側に直列に接続されている。
【００６７】
可変電流源５４は、カレントミラー回路５３のミラー元側（入力段側）のトランジスタＱ35に対して直列に接続されている。
【００６８】
上記の構成の実施例２に係る駆動回路１０Bにおいて、可変電流源５４の電流量を変えることで、入力段回路５０のレプリカ回路５１に流れる電流量が変わる。レプリカ回路５１に流れる電流量が変わると、これに比例して出力段回路２０に流れる電流量も変わるため、出力段回路２０の駆動力、即ち、本駆動回路１０Bの駆動力が変わる。この実施例２に係る駆動回路１０Bによれば、出力段回路２０が単一であるため、実施例１に比べて、回路レイアウト面積小さくて済むという利点がある。
【００６９】
そして、実施例２に係る駆動回路１０Bにおいても、実施例１と同様に、容量性負荷Ｃの使用環境の温度領域に応じて、駆動力のキャリブレーションの頻度を制御することで、環境温度の状態に合わせて、駆動力のキャリブレーションを適応的に制御することができる。尚、上述したことから明らかなように、駆動力のキャリブレーションは、可変電流源５４の電流量を調整することによって実行される。
【００７０】
［２−３．実施例３］
図４は、実施例３に係る容量性負荷の駆動回路の回路構成を示す回路図である。図４に示すように、実施例３に係る駆動回路１０Cは、実施例２に係る駆動回路１０Bと同様に、単一の出力段回路２０を有するアンプ形式の駆動回路である。出力段回路２０は、一例として、第１電源と第２電源との間にＰｃｈトランジスタＱ2及びＮｃｈトランジスタＱ1が直列に接続された構成となっている。
【００７１】
出力段回路２０において、ＰｃｈトランジスタＱ2及びＮｃｈトランジスタＱ1のドレイン共通接続ノードが、本駆動回路１０Cの出力ノード（出力端）Ｎoutとなっている。そして、この出力ノードＮoutに、本駆動回路１０Cの駆動対象である容量性負荷Ｃが接続されている。出力段回路２０は、トランジスタＱ2のゲート電極（入力端）と出力ノード（出力端）Ｎoutとの間に接続され、位相補償を為す容量素子Ｃ1を有する。
【００７２】
実施例３に係る駆動回路１０Cは、単一の出力段回路２０に加えて、入力段回路６０、分流経路７０、及び、カレントミラー回路８０を有する構成となっている。
【００７３】
入力段回路６０は、差動回路６１及びテール電流源６２を含み、単一の出力段回路２０を駆動する。差動回路６１は、例えば、ソース電極が共通に接続されたＮｃｈの差動対トランジスタＱ41，Ｑ42と、これら差動対トランジスタＱ41，Ｑ42のドレイン電極に対して直列に接続されたＰｃｈトランジスタＱ43，Ｑ44とから構成されている。
【００７４】
この差動回路６１において、トランジスタＱ43，Ｑ44は、ドレイン電極とゲート電極とが共通に接続されたダイオード接続となっている。トランジスタＱ44のゲート電極は、出力段回路２０のトランジスタＱ2のゲート電極に接続されている。また、差動対トランジスタＱ41，Ｑ42のソース共通接続ノードには、テール電流源６２としてのＮｃｈトランジスタＱ45が接続されている。
【００７５】
分流経路７０は、可変電流源７１及び当該可変電流源７１に対して直列に接続されたダイオード接続のＮｃｈトランジスタＱ46から成り、差動回路６１に対して並列に接続されている。より具体的には、トランジスタＱ46のソース電極が差動対トランジスタＱ41，Ｑ42のソース共通接続ノードに接続されている。この分流経路７０は、テール電流源６２に流れる電流を差動回路６１との間で分流する。
【００７６】
カレントミラー回路８０は、テール電流源６２としてのＮｃｈトランジスタＱ45を出力段側（ミラー先側）とし、ダイオード接続のＮｃｈトランジスタＱ47を入力段側（ミラー元側）とするとともに、当該トランジスタＱ47に対して直列に接続された定電流源８１を有する構成となっている。
【００７７】
上記の構成の実施例３に係る駆動回路１０Cにおいて、カレントミラー回路８０のミラー先であるテール電流源６２の電流量は、ミラー元であるトランジスタＱ47に対して直列に接続された定電流源８１の電流量Ｉ1によって決まる。そして、テール電流源６２の電流を差動回路６１との間で分流する分流経路７０の分流量（電流量）を、可変電流源７１の電流量Ｉ2の調整によって変えることにより、差動回路６１の出力段側に流入する電流量が変わる。
【００７８】
より具体的には、分流経路７０の分流量を増やせば、差動回路６１の出力段側に流入する電流量Ｉ3が減少する。その結果、出力段回路２０に流れる電流量が減少するため、出力段回路２０の駆動力、即ち、本駆動回路１０Cの駆動力が低下する。逆に、分流経路７０の分流量を減らせば、差動回路６１の出力段側に流入する電流量Ｉ3が増加する。その結果、出力段回路２０に流れる電流量が増加するため、出力段回路２０の駆動力が増大する。
【００７９】
このとき、差動回路６１の出力段側に流れる電流量Ｉ3は、
Ｉ3＝Ｉ1−Ｉ2
で与えられる。ここで、分流経路７０の分流量（電流量）の調整によって出力段回路２０に流れる電流量、ひいては、出力段回路２０の駆動力が変わるということは、出力段回路２０が有する容量素子Ｃ1の充放電の程度によって出力段回路２０の駆動力が変わるということでもある。
【００８０】
そして、実施例３に係る駆動回路１０Cにおいても、実施例１と同様に、容量性負荷Ｃの使用環境の温度領域に応じて、駆動力のキャリブレーションの頻度を制御することで、環境温度の状態に合わせて、駆動力のキャリブレーションを適応的に制御することができる。尚、上述したことから明らかなように、駆動力のキャリブレーションは、可変電流源７１の電流量Ｉ2を調整することによって実行される。また、実施例２と同様に出力段回路２０が単一であるため、実施例１に比べて、回路レイアウト面積小さくて済むという利点がある。
【００８１】
［２−４．実施例４］
水の凝固点付近の温度領域以外の温度領域では、高分子化合物の等価容量値（等価インピーダンス）の温度変動が一般的に緩やかである。このように、容量性負荷の容量値が温度に対して線形に変化する温度領域では、駆動力のキャリブレーションの頻度は少なくて済み、最小１回のキャリブレーションで十分である可能性がある。かかる点に鑑み為されたのが、実施例４に係る容量性負荷の駆動回路である。
【００８２】
図５は、実施例４に係る容量性負荷の駆動回路の回路構成を示すブロック図である。図５に示すように、実施例４に係る駆動回路１０Dは、当該駆動回路１０Dを用いるシステムの起動、例えば、システムの電源（Ｐｏｗｅｒ）ＯＮをトリガとして回路動作する構成を採っている。具体的には、発振回路４２３及びカウンタ回路４２５がシステムの電源ＯＮをトリガとして回路動作を開始する。
【００８３】
実施例４に係る駆動回路１０Dでは、発振回路４２３が出力するクロック信号の、例えば１０クロックから１０００クロックの期間をキャリブレーション期間に割り当てる。そして、本駆動回路１０D（即ち、出力段回路２０）の出力波形のスルーレートをカウンタ回路４２５で計測し、実測値と時間差データ格納部４３２に格納されている理想値との差分をロジック回路４３１で算出し、出力段回路２０の駆動力をキャリブレーションする。駆動力のキャリブレーションに寄与する制御については、先述した実施例１、実施例２、及び、実施例３のいずれでもよい。
【００８４】
上述したように、実施例４に係る駆動回路１０Dによれば、キャリブレーションを常時行う必要がなく、容量性負荷Ｃの容量値が温度に対して線形に変化する温度領域では、システムの起動時に１回でキャリブレーションを完了するため、低消費電力化を図ることができる。
【００８５】
尚、本駆動回路１０Dを例えば後述するようにカメラモジュールのアクチュエータの駆動回路として用いる場合にあっては、カメラのシャッタの起動をトリガとして上述した回路動作を行う、即ち、シャッタを切ったときに１回でキャリブレーションを完了する構成とすることができる。また、カムコーダのように、動画撮影する場合においては、システムの起動時に一瞬でキャリブレーションが完了することで、低消費電力化の効果は更に大きくなる。
【００８６】
以上説明した実施例１乃至実施例４に係る容量性負荷の駆動回路１０A〜１０Dは、温度変動に対して非線形（急激）に容量値が変動する容量性負荷を駆動するのに用いて好適なものである。温度に対して非線形に容量値が変化する容量性負荷としては、レンズをその光軸方向において変位（移動）させるアクチュエータにおいて、レンズを変位させる部材を例示することができる。それ以外にも、有機ＥＬ表示装置において、有機ＥＬ素子を駆動するための配線などを例示することができる。但し、容量性負荷としてはこれらに限られるものではない。
【００８７】
＜３．カメラモジュール＞
以下に、実施例１乃至実施例４に係る容量性負荷の駆動回路を、レンズをその光軸方向において変位させるアクチュエータの駆動回路として用いるカメラモジュールについて説明する。
【００８８】
図６は、本開示に係るカメラモジュールを横から見たときのアクチュエータ部の断面図である。
【００８９】
本開示に係るカメラモジュール９０は、レンズをその光軸方向において変位させる部材として、ポリマーのような高分子化合物を用いる。具体的には、図６に示すように、ポリマー９２と、当該ポリマー９２を挟んで対向して設けられた正極（陽極）９３及び負極（陰極）９４から成るアクチュエータ９５が、レンズバレル９１を囲むように当該レンズバレル９１の上下に配置されている。アクチュエータ９５の端部はヒンジ９６によって支持されている。そして、正極９３及び負極９４に対して、駆動回路１０（１０A〜１０D）から駆動信号が与えられる。
【００９０】
ここで、ポリマー９２の挙動について、図７を用いて説明する。正極９３及び負極９４間に電圧を印加しない初期状態では、ポリマー９２は変位しない（変位ゼロ）。正極９３及び負極９４間に電圧を印加することで、ポリマー９２に変位が発生する。具体的には、動きの遅い陰イオンが遅れて移動することで、ポリマー９２がたわむ。
【００９１】
このポリマー９２を用いるアクチュエータ９５においては、アクチュエータ９５の腕の長さに対して、アクチュエータ９５の長さ方向の中央部の上下の移動量が十分に小さいので、レンズバレル９１、ひいては、レンズ（フォーカスレンズ）が上下に並行に移動できることになる。
【００９２】
このように、レンズをその光軸方向において変位させる部材としてポリマー９２を用いるアクチュエータ９５を備えるカメラモジュール９０において、アクチュエータ９５の駆動に実施例１乃至実施例４に係る駆動回路１０A〜１０Dを用いることで、次のような作用、効果を得ることができる。
【００９３】
すなわち、実施例１乃至実施例４に係る駆動回路１０A〜１０Dは、容量性負荷の使用環境の温度領域に応じて、容量性負荷の駆動力をキャリブレーションする頻度を制御することで、環境温度の状態に合わせて、駆動力のキャリブレーションを適応的に制御できる。従って、これら駆動回路１０A〜１０Dを用いることで、カメラモジュール９０の使用環境の温度に応じて、ポリマー９２を含むアクチュエータ９５を最適な状態で駆動できるため、環境温度に関係なく最適なフォーカス状態を提供することができる。
【００９４】
＜４．本開示の構成＞
尚、本開示は以下のような構成を採ることができる。
［１］温度に対して非線形に容量値が変化する容量性負荷を駆動対象とし、容量性負荷を駆動する駆動力のキャリブレーションが可能であり、
容量性負荷の使用環境の温度領域を検出する温度領域検出部と、
温度領域検出部が検出した温度領域に応じて、容量性負荷の駆動力をキャリブレーションする頻度を制御する制御部とを備える容量性負荷の駆動回路。
［２］容量性負荷は、高分子化合物である上記［１］に記載の容量性負荷の駆動回路。
［３］高分子化合物は、水の凝固点付近で等価インピーダンスが急激に変動する上記［２］に記載の容量性負荷の駆動回路。
［４］温度領域検出部は、
容量性負荷の使用環境の温度を測定する温度測定部と、
温度測定部の出力電圧を、容量性負荷の使用環境の温度領域を規定する複数の規定温度に対応する複数の規定電圧と比較する複数の比較器と、
複数の比較器の比較結果を基に容量性負荷の使用環境の温度領域を判定する判定部とを有する上記［１］から上記［３］のいずれかに記載の容量性負荷の駆動回路。
［５］温度測定部は、バンドギャップリファレンス回路によって構成されており、使用環境の範囲において、リファレンス電圧が温度に対して線形性を保つ上記［４］に記載の容量性負荷の駆動回路。
［６］制御部は、キャリブレーションの頻度を複数の規定温度に対応して制御する上記［４］または上記［５］に記載の容量性負荷の駆動回路。
［７］温度領域検出部は、
所定の周波数のクロック信号を、異なる分周比で分周する分周回路を有し、
分周回路で分周された異なる周波数のクロック信号のいずれかを、温度領域検出部が検出した温度領域に応じて選択し、この選択したクロック信号をキャリブレーションの頻度を決める信号とする上記［１］から上記［６］のいずれかに記載の容量性負荷の駆動回路。
［８］制御部は、
駆動回路の出力電圧を第１基準電圧及び第２基準電圧とそれぞれ比較する２つの比較器と、
２つの比較器の出力の遷移タイミング間の時間差を検出する時間差検出部と、
時間差検出部が検出した時間差と、あらかじめ設定した時間差との差分を検出する差分検出部とを有する上記［１］から上記［７］のいずれかに記載の容量性負荷の駆動回路。
［９］第１基準電圧及び第２基準電圧は、複数の出力段回路の出力電圧の最大振幅を基準に設定される上記［８］に記載の容量性負荷の駆動回路。
［１０］時間差検出部は、２つの比較器の出力の遷移タイミング間の期間において、所定の周波数のクロック信号をカウントするカウンタ回路を有し、そのカウント値を２つの比較器の出力の遷移タイミング間の時間差とする上記［８］または上記［９］に記載の容量性負荷の駆動回路。
［１１］時間差検出部は、
２つの比較器の出力の排他的論理和をとる第１の論理回路と、
第１の論理回路の出力信号とキャリブレーションの頻度を決める信号との論理積をとり、その論理積出力をカウンタ回路のイネーブル入力とする第２の論理回路と、
所定の周波数のクロック信号とキャリブレーションの頻度を決める信号との論理積をとり、その論理積出力をカウンタ回路のカウント入力とする第３の論理回路とを有する上記［１０］に記載の容量性負荷の駆動回路。
［１２］駆動力が異なる複数の出力段回路を有し、
制御部は、複数の出力段回路を切り替えることによって容量性負荷を駆動する駆動力を制御する上記［１］から上記［１１］のいずれかに記載の容量性負荷の駆動回路。
［１３］単一の出力段回路と、
単一の出力段回路を模したレプリカ回路、レプリカ回路を出力段側とするカレントミラー回路、及び、カレントミラー回路の入力側に挿入された可変電流源を含み、単一の出力段回路を駆動する入力段回路とを有し、
可変電流源の電流量によって容量性負荷を駆動する駆動力を制御する上記［１］から上記［１１］のいずれかに記載の容量性負荷の駆動回路。
［１４］単一の出力段回路と、
差動回路及びテール電流源を含み、単一の出力段回路を駆動する入力段回路と、
テール電流源に流れる電流を差動回路との間で分流する分流経路と、
テール電流源を出力段側とし、入力段側に直列に挿入された定電流源を含むカレントミラー回路とを有し、
分流経路に流れる電流量によって容量性負荷を駆動する駆動力を制御する上記［１］から上記［１１］のいずれかに記載の容量性負荷の駆動回路。
［１５］定電流源の電流量をＩ1、分流経路に流れる電流量をＩ2とするとき、差動回路の出力段側に流れる電流量Ｉ3は、
Ｉ3＝Ｉ1−Ｉ2
で与えられる上記［１４］に記載の容量性負荷の駆動回路。
［１６］単一の出力段回路は、この出力段回路の入力端と出力端との間に接続された容量素子を有し、容量素子の充放電の程度によって駆動力が変わる上記［１４］または上記［１５］に記載の容量性負荷の駆動回路。
［１７］制御部は、容量性負荷の容量値が温度に対して線形に変化する温度領域では、容量性負荷の駆動回路を用いるシステムの起動時に１回でキャリブレーションを完了する上記［１］から上記［１６］のいずれかに記載の容量性負荷の駆動回路。
［１８］温度に対して非線形に容量値が変化する容量性負荷を駆動対象とし、容量性負荷を駆動する駆動力のキャリブレーションが可能であり、
容量性負荷の使用環境の温度領域に応じて、容量性負荷の駆動力をキャリブレーションする頻度を制御し、
このキャリブレーションした駆動力にて容量性負荷を駆動する容量性負荷の駆動方法。
［１９］温度に対して非線形に容量値が変化する容量性負荷となる部材により、レンズをその光軸方向において変位させるアクチュエータと、
容量性負荷を駆動する駆動回路とを備え、
駆動回路は、
容量性負荷を駆動する駆動力のキャリブレーションが可能であり、
容量性負荷の使用環境の温度領域に応じて、容量性負荷の駆動力をキャリブレーションする頻度を制御し、このキャリブレーションした駆動力にて容量性負荷を駆動するカメラモジュール。
［２０］容量性負荷の容量値が温度に対して線形に変化する温度領域では、シャッタを切ったときに１回でキャリブレーションを完了する上記［１９］に記載のカメラモジュール。
【符号の説明】
【００９５】
１０A〜１０D・・・容量性負荷の駆動回路、２０，２０1，２０2・・・出力段回路、３０，３０A・・・温度領域検出部、３１・・・温度計回路、３２1，３２2・・・比較器、３３・・・ＥＸＯＲ（排他的論理和）回路、３４・・・発振（ＯＳＣ）回路、３５・・・分周回路、３６・・・マルチプレクサ回路、４０・・・制御部、５０，６０・・・入力段回路、５１・・・レプリカ回路、５２，５３，８０・・・カレントミラー回路、５４，７１・・・可変電流源、６１・・・差動回路、６２・・・テール電流源、７０・・・分流経路、８１・・・定電流源、９０・・・カメラモジュール、９１・・・レンズバレル、９２・・・ポリマー、９３・・・正極（陽極）、９４・・・負極（陰極）、９５・・・アクチュエータ、９６・・・ヒンジ
【図１】
2014017575.tif 000003
【図２】
2014017575.tif 000004
【図３】
2014017575.tif 000005
【図４】
2014017575.tif 000006
【図５】
2014017575.tif 000007
【図６】
2014017575.tif 000008
【図７】
2014017575.tif 000009